(57)【要約】【課題】うなり音を抑制したコイル部品およびその製造方法を提供することを目的としている。【解決手段】巻線を施したボビン２２と、このボビン２２に組み込んだ閉磁路状磁心２１とを備え、閉磁路状磁心２１は、２つの分割磁心２５の磁脚を突き合わせて形成しており、分割磁心２５の中磁脚１９および外磁脚２０の突き合わせ面には、磁脚の外形よりも小さいギャップ紙２４を挟み込むとともに接着剤２６を塗布し、ギャップ紙２４を介して２つの分割磁心２５を接着固定した構成である。【選択図】図１
2006040922.tif 000002
【特許請求の範囲】
【請求項１】
閉磁路状磁心と、前記閉磁路状磁心に組み込み、巻線を巻回したボビンとを備え、前記閉磁路状磁心は、２つの分割磁心の磁脚を突き合わせて形成するとともに、前記分割磁心の全ての磁脚の突き合わせ面にギャップ部を設けており、前記分割磁心の磁脚の内、前記分割磁心の重心を挟むように配置された少なくとも２つの磁脚の突き合わせ面には、前記磁脚の外形よりも小さいギャップ紙を挟み込むとともに接着剤を塗布して前記ギャップ部を設けたコイル部品。
【請求項２】
２つの前記分割磁心の内、少なくとも一方の前記分割磁心は、背磁脚と、前記背磁脚の中央に配置した中磁脚と、前記背磁脚の両端部に配置した外磁脚とを有するＥ型形状であって、前記ギャップ紙は、前記中磁脚の突き合わせ面に１つ、２つの前記外磁脚の両端部に１つずつ、挟み込んだ請求項１記載のコイル部品。
【請求項３】
前記ギャップ紙には粘着剤を塗布した請求項１記載のコイル部品。
【請求項４】
前記粘着剤は前記ギャップ紙の片面のみに塗布した請求項３記載のコイル部品。
【請求項５】
２つの分割磁心の磁脚を突き合わせて閉磁路状磁心を形成する工程と、前記閉磁路状磁心に巻線を巻回したボビンを組み込む工程とを備え、前記分割磁心の磁脚の内、前記分割磁心の重心を挟むように配置された少なくとも２つの磁脚の突き合わせ面に前記磁脚の外形よりも小さいギャップ紙を挟み込むとともに接着剤を塗布して、前記分割磁心の全ての磁脚の突き合わせ面にギャップ部を形成するコイル部品の製造方法。
【請求項６】
２つの分割磁心の磁脚を突き合わせて閉磁路状磁心を形成する工程と、前記閉磁路状磁心に巻線を巻回したボビンを組み込む工程とを備え、前記分割磁心の少なくとも２つの前記磁脚の突き合わせ面にギャップ紙を挟み込むとともに接着剤を塗布し、その後、前記ギャップ紙を取り除いて、前記分割磁心の全ての磁脚の突き合わせ面にギャップ部を形成するコイル部品の製造方法。
【発明の詳細な説明】
【技術分野】
【０００１】
本発明は各種電子機器等に用いるコイル部品およびその製造方法に関するものである。
【背景技術】
【０００２】
以下、従来のコイル部品について図面を参照しながら説明する。
【０００３】
図５は従来のコイル部品の平面図、図６は同コイル部品の断面図である。
【０００４】
図５、図６において、従来のコイル部品は、一次コイル用導線１と二次コイル用導線２とを各々螺旋状に平面的に巻回して形成した一次コイル３と二次コイル４とを交互に積層している。そして、複数の層に積層された一次コイル３の端部を互いに接続するとともに、複数の層に積層された二次コイル４の端部を互いに接続している（図示せず）。各々の端部は、仕様に合わせて並列接続したり直列接続したりしている。
【０００５】
また、互いに接続された一次コイル３と二次コイル４の各々の先端部は引き出し線５として内周側と外周側から引き出し、その先端には端子接続用の接続部を設けている。
【０００６】
さらに、積層された一次コイル３および二次コイル４の中心部の貫通孔６には、２つのＥ型コア７の中磁脚８を挿入し、互いの中磁脚８と外磁脚９とを突き合わせて閉磁路状磁心を形成している。この際、互いの外磁脚９は接着剤で接着固定しており、互いの中磁脚８は空気層からなるギャップ１０を介して突き合わせている。
【０００７】
なお、この出願の発明に関連する先行技術文献情報としては、例えば、特許文献１が知られている。
【特許文献１】特開平７−１３５１１７号公報
【発明の開示】
【発明が解決しようとする課題】
【０００８】
上記構成では、積層された一次コイル３および二次コイル４の中心部の貫通孔６に、２つのＥ型コア７の中磁脚８を挿入し、中磁脚８と外磁脚９とを突き合わせて閉磁路状磁心を形成しているが、この中磁脚８は空気層からなるギャップ１０を介して突き合わせているので、駆動時において、ギャップ１０近傍からうなり音が生じるという問題を有していた。特に、外磁脚９を接着剤で接着固定しているので、ギャップ１０近傍から生じるうなりが緩和されたり吸収されたりする部分がなく助長されていた。
【０００９】
本発明は上記問題点を解決するもので、うなり音を抑制したコイル部品およびその製造方法を提供することを目的としている。
【課題を解決するための手段】
【００１０】
上記問題点を解決するために本発明は、特に、閉磁路状磁心は、２つの分割磁心の磁脚を突き合わせて形成するとともに、前記分割磁心の全ての磁脚の突き合わせ面にギャップ部を設けており、前記分割磁心の磁脚の内、前記分割磁心の重心を挟むように配置された少なくとも２つの磁脚の突き合わせ面には、２つの前記磁脚の外形よりも小さいギャップ紙を挟み込むとともに接着剤を塗布した構成である。
【発明の効果】
【００１１】
上記構成によれば、分割磁心の全ての磁脚の突き合わせ面にギャップ部を設けており、分割磁心の磁脚の内、分割磁心の重心を挟むように配置された少なくとも２つの磁脚の突き合わせ面には、磁脚の外形よりも小さいギャップ紙を挟み込むとともに接着剤を塗布しているので、このギャップ紙によって、磁脚の振動を吸収するとともに緩和して、磁脚の振動に起因して生じるうなり音を抑制することができる。
【００１２】
特に、ギャップ紙は、分割磁心の重心を挟むように配置された少なくとも２つの磁脚の突き合わせ面に挟み込むので、磁脚の突き合わせによる応力は、このギャップ紙に略均等に加わり、磁脚の突き合わせ面が傾斜したりすることもなく略平行となる。すなわち、磁脚に挟み込んだギャップ紙が突き合わせ面において浮いたりすることがなく、突き合わせ面の傾斜に起因したうなり音を抑制できる。
【００１３】
さらに、ギャップ紙は、磁脚の外形よりも小さくしているので、磁脚の面上において、ギャップ紙と接着剤とを同時に配置して、磁脚の突き合わせ面を接着でき、分割磁心が位置ずれしにくい。
【発明を実施するための最良の形態】
【００１４】
以下、本発明の一実施の形態のコイル部品について図面を参照しながら説明する。
【００１５】
図１は本発明の一実施の形態におけるコイル部品の断面図、図２は図１のＡ部における混合導線の巻回手順を示す拡大断面図、図３は同コイル部品の斜視図、図４は同コイル部品の分解斜視図である。
【００１６】
図１、図２において、本発明の一実施の形態におけるコイル部品は、一次コイル用導線１１と二次コイル用導線１２とを並列に配置した一組の混合導線１３を、つづら折り状に折り返しながら多層に整列巻して、螺旋状の一次コイル用導線１１からなる一次コイル１４と螺旋状の二次コイル用導線１２からなる二次コイル１５とを形成している。このように整列巻すると、一次コイル用導線１１と二次コイル用導線１２とを各々螺旋状に平面的に巻回し交互に積層した一次コイル１４と二次コイル１５の断面形状と略同等の形状となる。ここで用いる一次コイル用導線は絶縁導線であり、二次コイル用導線は三層絶縁電線であるが、仕様に合わせて選択すればよい。
【００１７】
この混合導線１３は二組用いており、各々つづら折り状に折り返しながら（図２の矢印の向き）多層に完全整列巻しており、一次コイル１４と二次コイル１５とからなるコイル部１６を二組形成している。この際、隣接する上下の層に整列巻された一次コイル用導線１１および二次コイル用導線１２は、いずれか一方を自己融着線として、互いに密着させている。
【００１８】
また、一次コイル用導線１１の導線長を二次コイル用導線１２の導線長よりも長くし、二次コイル用導線１２の導線長を超える一次コイル用導線１１の一部１７は、二次コイル１５と対向するように巻回している。これら一次コイル用導線１１および二次コイル用導線１２は貫通孔を有するボビン２２に巻回して配置している。
【００１９】
さらに、背磁脚１８の中央に配置した中磁脚１９と、背磁脚１８の両端部に配置した外磁脚２０とを有する２つのＥ型形状の分割磁心２５を互いに突き合わせて閉磁路状磁心２１を形成している。この２つの分割磁心２５は、中磁脚１９を貫通孔に挿入するとともに、ギャップ紙２４を介して中磁脚１９および外磁脚２０を互いに突き合わせ、接着剤２６を塗布して接着固定している。
【００２０】
特に、この分割磁心２５の全ての磁脚（中磁脚１９と２つの外磁脚２０）の突き合わせ面には、この磁脚の外形よりも小さいギャップ紙２４を挟み込んでおり、中磁脚１９の突き合わせ面に１つ、２つの外磁脚２０の両端部に２つずつ挟み込んでいる。この際、ギャップ紙２４の片面に粘着剤を塗布し(図示せず)、磁脚の面上にそのまま貼り付けている。これにより、分割磁心２５の全ての磁脚(中磁脚１９と２つの外磁脚２０)の突き合わせ面にはギャップ部が形成される。
【００２１】
そして、一次コイル１４と二次コイル１５からなるコイル部１６は、図３、図４に示すように、分割磁心２５、ボビン２２、蓋部２３で挟み込むように組み合わせている。
【００２２】
上記構成により、分割磁心２５の全ての磁脚（中磁脚１９と２つの外磁脚２０）の突き合わせ面には、磁脚の外形よりも小さいギャップ紙２４を挟み込むとともに接着剤２６を塗布し、ギャップ紙２４を介して２つの分割磁心２５を接着固定して形成しているので、このギャップ紙２４によって、磁脚の振動を吸収するとともに緩和して、磁脚の振動に起因して生じるうなり音を抑制することができる。
【００２３】
特に、ギャップ紙２４は、分割磁心２５の全ての磁脚の突き合わせ面に挟み込むので、磁脚の突き合わせによる応力は、全てのギャップ紙２４に略均等に加わり、磁脚の突き合わせ面が傾斜したりすることもなく略平行となる。すなわち、磁脚に挟み込んだギャップ紙２４が突き合わせ面において浮いたりすることがなく、突き合わせ面の傾斜に起因したうなり音を抑制できる。
【００２４】
また、ギャップ紙２４は、磁脚の外形よりも小さくしているので、磁脚の面上において、ギャップ紙２４と接着剤２６とを同時に配置して、磁脚の突き合わせ面を接着でき、分割磁心２５の位置決めを的確に行える。
【００２５】
さらに、２つの分割磁心２５は、Ｅ型形状であって、ギャップ紙２４は、中磁脚１９の突き合わせ面に１つ、２つの外磁脚２０の両端部に２つずつ、挟み込んでいるので、突き合わせ面の傾斜をより低減し、うなり音を抑制できる。
【００２６】
なお、本発明では、２つの分割磁心２５はＥ型形状であるが、一方の分割磁心２５をＥ型形状とし、他方の分割磁心２５を中磁脚１９と外磁脚２０を有さない背磁脚１８のみを有するＩ型形状としてもよい。
【００２７】
また、本発明では、ギャップ紙２４は分割磁心２５の全ての磁脚の突き合わせ面に挟み込んだが、分割磁心２５の重心（中磁脚１９）を挟むように配置された少なくとも２つの磁脚（外磁脚２０のみ）の突き合わせ面に挟み込んでも、ほぼ同様な効果を得ることができる。特に、ギャップ紙２４に粘着剤を塗布すれば、分割磁心２５を接着剤２６で接着固定するまでの間、分割磁心２５に対するギャップ紙２４の位置決めを確実に行える。この際、粘着剤はギャップ紙２４の片面のみに塗布しておけば、使い勝手がよい。
【００２８】
さらに、本発明では、ギャップ紙２４を設けているが、分割磁心２５の少なくとも２つの磁脚の突き合わせ面にギャップ紙２４を挟み込むとともに接着剤２６を塗布し、その後、ギャップ紙２４を取り除いて、分割磁心２５の全ての磁脚の突き合わせ面にギャップ部を形成してもよい。この場合、ギャップ紙２４は取り除かれているが、接着剤２６がギャップ紙２４の厚みと略同等になるため、この接着剤２６の厚みによって磁脚の振動を吸収するとともに緩和し、磁脚の振動に起因して生じるうなり音を抑制することができる。
【産業上の利用可能性】
【００２９】
以上のように本発明にかかるコイル部品は、うなり音を抑制でき、各種電子機器等に用いるコイル部品に適用できる。
【図面の簡単な説明】
【００３０】
【図１】本発明の一実施の形態におけるコイル部品の断面図
【図２】図１のＡ部における混合導線の巻回手順を示す拡大断面図
【図３】同コイル部品の斜視図
【図４】同コイル部品の分解斜視図
【図５】従来のコイル部品の平面図
【図６】同コイル部品の断面図
【符号の説明】
【００３１】
１１  一次コイル用導線
１２  二次コイル用導線
１３  混合導線
１４  一次コイル
１５  二次コイル
１６  コイル部
１７  一部
１８  背磁脚
１９  中磁脚
２０  外磁脚
２１  閉磁路状磁心
２２  ボビン
２３  蓋部
２４  ギャップ紙
２５  分割磁心
２６  接着剤
【図１】
2006040922.tif 000003
【図２】
2006040922.tif 000004
【図３】
2006040922.tif 000005
【図４】
2006040922.tif 000006
【図５】
2006040922.tif 000007
【図６】
2006040922.tif 000008